【手続補正書】
【提出日】平成25年12月17日(2013.12.17)
【手続補正１】
【補正対象書類名】特許請求の範囲
【補正対象項目名】全文
【補正方法】変更
【補正の内容】
【特許請求の範囲】
【請求項１】
複数の電磁信号源のロケーションを推定する方法であって、
第１の複数のロケーションにおいてスキャニングを行うことにより、信号源位置データを生成するステップであって、前記信号源位置データは、前記信号源の１つまたは複数の位置の推定を表すステップと、
信号検出システムを用いて第２の複数のロケーションにおいてスキャニングを行うことにより、信号検出データを生成するステップであって、前記信号検出データは、前記第２の複数のロケーションにおいて前記信号源から受信した信号に関連するステップと、
前記信号検出データに基づいて前記信号源位置データを処理することによって、前記信号源位置データにおける推定誤差を修正するステップと、
前記処理された信号源位置データを出力するステップと、
を含む方法。
【請求項２】
前記信号源位置データを処理するステップは、前記信号検出データを用いることにより、前記第２の複数のロケーションの位置を推定するステップをさらに含む、請求項１に記載の方法。
【請求項３】
前記第２の複数のロケーションに関する情報を表すロケーション情報データを受信するステップをさらに含み、前記信号源位置データを処理するステップは、前記ロケーション情報データを用いることにより、前記第２の複数のロケーションの位置を推定するステップをさらに含む、請求項１または２に記載の方法。
【請求項４】
前記ロケーション情報データは、前記第２の複数のロケーションの少なくとも１つの位置のユーザー推定を含む、請求項３に記載の方法。
【請求項５】
ユーザー入力装置を介して前記ロケーション情報データを入力するステップをさらに含む、請求項４に記載の方法。
【請求項６】
前記信号源位置データを処理するステップは、前記信号源に適用する環境要因を表す環境モデルに応じて前記信号検出データを処理するステップをさらに含む、請求項１〜５のいずれか一項に記載の方法。
【請求項７】
環境モデルの選択を表す環境モデル選択データおよび前記環境モデルの少なくとも１つのパラメーターの選択を表す環境モデルパラメーターデータの内の少なくとも１つを受信するステップと、前記環境モデル選択データおよび前記環境モデルパラメーターデータの内の前記少なくとも１つに応じて、前記信号検出データを処理するステップとをさらに含む、請求項６に記載の方法。
【請求項８】
ユーザー入力装置を介して、前記環境モデル選択データおよび環境モデルパラメーターデータの内の少なくとも１つを入力するステップをさらに含む、請求項７に記載の方法。
【請求項９】
前記信号源位置データを処理するステップが、前記信号検出データに基づいて、前記信号源の新しい推定を表すさらなる信号源位置データを生成するステップをさらに含む、請求項１〜８のいずれか一項に記載の方法。
【請求項１０】
前記信号源位置データおよび前記さらなる信号源位置データを処理することにより、前記信号源位置データに対する適切な調整を決定するステップをさらに含む、請求項９に記載の方法。
【請求項１１】
前記信号検出データを処理することにより、前記第１の複数のロケーションにおいて検出されなかった追加の信号源のロケーションを推定するステップと、追加の信号源位置データを前記信号源位置データに追加するステップとをさらに備えた、請求項１〜１０のいずれか一項に記載の方法。
【請求項１２】
前記第１の複数のロケーションにおいてスキャニングを行うステップが、
前記第１の複数のロケーションにおいてスキャニングを行うことにより、初期信号検出データを生成するステップであって、前記初期信号検出データは、前記第１の複数のロケーションにおいて前記信号源から受信した信号に関連するステップと、
前記位置推定データを生成するために、第１のスキャニング位置データに基づいて前記初期信号検出データを処理するステップであって、前記第１のスキャニング位置データは、前記第１の複数のロケーションの各々の位置を表すステップと、
を含む、請求項１〜１１のいずれか一項に記載の方法。
【請求項１３】
前記第１の複数のロケーションにおいてスキャニングを行うステップが、前記信号検出システムを用いることにより、前記初期信号検出データを生成するステップを含む、請求項１２に記載の方法。
【請求項１４】
前記第１の複数のロケーションの各々においてポジショニングシステムを用いることにより、前記第１のスキャニング位置データを生成するステップをさらに含む、請求項１〜１３のいずれか一項に記載の方法。
【請求項１５】
前記ポジショニングシステムは、通常、前記第２の複数のロケーションにおいてよりも、前記第１の複数のロケーションにおいてより効果的である、請求項１４に記載の方法。
【請求項１６】
前記信号検出システムは、通常、前記第１の複数のロケーションにおいてよりも、前記第２の複数のロケーションにおいてより効果的である、請求項１４または１５に記載の方法。
【請求項１７】
信号検出システムを用いて、さらなる複数のロケーションにおいてスキャニングを行うことにより、さらなる信号検出データを生成するステップと、前記さらなる信号検出データに基づいて前記信号源位置データをさらに処理するステップとをさらに含む、請求項１〜１６のいずれか一項に記載の方法。
【請求項１８】
前記信号源位置データを処理することにより、前記信号源のマップを表すマップデータを生成するステップをさらに含む、請求項１〜１７のいずれか一項に記載の方法。
【請求項１９】
前記信号源が、無線通信ネットワークにおける基地局等のワイヤレスアクセスポイントである、請求項１〜１８のいずれか一項に記載の方法。
【請求項２０】
前記信号検出データ、前記信号源位置データおよび前記処理された信号源位置データの少なくとも１つが、前記ワイヤレスアクセスポイントを介して送信される、請求項１９に記載の方法。
【請求項２１】
前記スキャニングの少なくとも一部が、ハンドヘルド携帯デバイスを用いて実行される、請求項１〜２０のいずれか一項に記載の方法。
【請求項２２】
前記スキャニングの少なくとも一部が、車両に搭載された携帯デバイスを用いて実行される、請求項１〜２１のいずれか一項に記載の方法。
【請求項２３】
前記処理された信号源位置データを保存するステップと、
ユーザーデバイスからユーザーロケーションリクエストを受信するステップであって、前記ユーザーロケーションリクエストは、前記ユーザーデバイスに関連する信号検出システムから得られたデータを含むステップと、
前記ユーザーロケーションリクエストデータに基づいて、前記保存された信号源位置データを処理することにより、前記ユーザーデバイスのロケーションの推定を表すユーザーロケーションデータを生成するステップと、
前記ユーザーロケーションデータを出力するステップと、
をさらに含む、請求項１〜２２のいずれか一項に記載の方法。
【請求項２４】
前記スキャニングが、複数のロケーション間を移動しているユーザーによって実行される、請求項１〜２３のいずれか一項に記載の方法。
【請求項２５】
複数の電磁信号源のロケーションを推定する方法であって、
信号源位置データを入力するステップであって、前記信号源位置データは、第１の複数のロケーションにおけるスキャニングによって得られた前記信号源の１つまたは複数の位置の推定を表すステップと、
信号検出データを入力するステップであって、前記信号検出データは、第２の複数のロケーションにおいて前記信号源から受信した信号に関連するステップと、
前記信号検出データに基づいて、前記信号源位置データを処理することにより、前記信号源位置データにおける推定誤差を修正するステップと、
前記処理された信号源位置データを出力するステップと、
を含む方法。
【請求項２６】
請求項１〜２５のいずれか一項に記載の方法をコンピュータに実行させるコンピュータプログラムコードを明白に具体化するコンピュータ可読媒体。
【請求項２７】
請求項１〜２５のいずれか一項に記載の方法を携帯ユニットに実行させるコンピュータプログラムコードを用いてプログラムされた携帯ユニット。
【請求項２８】
請求項２５に記載の方法を前記携帯ユニットに実行させるコンピュータプログラムコードを用いてプログラムされたサーバー。